(57)【要約】      （修正有）【課題】特定の地理的な場所における移動体に対して待ち行列における行列長さ及び待ち時間を短くする方法を提供する。【解決手段】施設は無線信号のトランシーバを有する場所ノードを有する。トランシーバは施設内の中央ハブ及びモバイルデバイスと通信する。場所ノードは、施設内の特定場所に配置し、施設内の移動体のこの場所に対する相対移動に関するデータを供給する。データとしては、特定場所内への進入、前記特定場所からの退出、及び特定場所の近傍で費やした時間量のうち少なくとも１つを含むものとし、リアルタイム、又は保存及び解析用に運営担当者が使用できるよう後の時点のうち少なくとも一方で運営担当者に送信するものとする。一連の場所ノードが施設内に存在する。場所ノードは施設内の移動体の移動に関するデータを供給し、このようなデータとしては、施設内の移動体の移動経路を含む。【選択図】図１
2014176092.tif 000002
【特許請求の範囲】
【請求項１】
場所に基づくサービスを施設の運営担当者に提供する方法であり、前記施設は物理的な壁によって形成されて物理的に規定される構造物とした、該方法において、
前記施設に一連の場所ノードを設け、前記場所ノードは、無線信号のトランシーバを有し、受信した信号を中央ハブに送信して、前記中央ハブが受信した信号を処理できるようにし、
前記場所ノードは前記施設における戦略的位置に配置し、また前記場所ノードは、前記施設内の人的移動体と無線通信して前記施設内の前記人的移動体の場所及び移動を確定でき、前記人的移動体は、前記場所ノードに対して信号を無線で送受信する無線通信ユニットを有し、前記各ユニットは各人的移動体に一意的であるものとし、
前記場所ノードは検出デバイスを有し、前記検出デバイスは、無線トランスミッタ／レシーバを含み、前記人的移動体及び前記人的移動体の無線通信ユニットのゾーンに対する進入及び退出を検出可能とし、前記人的移動体の無線通信ユニットは、Bluetooth又はＷｉ-Ｆｉ、又はＮＦＣシステムのうちから選択したものを装備したモバイルフォンとし、
前記場所ノードは前記施設内での前記人的移動体の移動に関するデータを供給し、このようなデータとしては、前記施設内への進入、前記施設からの退出、及び付加的に、戦略的位置に配置したノードの近傍で費やした時間量、前記施設内での前記移動体の移動経路のうち少なくとも１つを含むものとし、
前記データは、リアルタイム、又は保存及び解析用に運営担当者が使用できるよう後の時点のうち少なくとも一方で運営担当者に送信するものとし、
コンピュータプロセッサが実行するアルゴリズムにより前記データを処理し、前記データは、前記施設内への進入、前記施設からの退出、及び前記施設全体にわたり行ったストップ回数を含むものとし、
前記アルゴリズムは次式により必要なレーン数ＬＸを決定する、すなわち、
ＬＸ＝Ｒ１（ｎＳ／１００）Ｔ１
ここで、
ＬＸ＝必要な高速レーンの数、
Ｒ１＝来訪者入来率
ｎＳ＝少量来訪者の割合、及び
Ｔ１＝高速レーンのチェックアウト率
である、方法。
【請求項２】
請求項１記載の方法において、前記施設は、施設を退出する人的移動体は退出前に少なくとも１つのチェックアウト場所を通過する必要がある複数のチェックアウト場所を有し、また場所ノードは、前記複数のチェックアウト場所のそれぞれ異なる対応のチェックアウト場所に関連する物理的場所に配置し、また前記場所ノードからのデータは、異なるチェックアウト場所を通過する人的移動体の数、異なるチェックアウト場所を通過する人的移動体の速度、及び異なるチェックアウト場所の近傍における人的移動体の数のうち、少なくとも１つの含むものとした、方法。
【請求項３】
請求項１又は２記載の方法において、前記施設はショッピング商業店舗とし、前記チェックアウト場所は、前記ショッピング商業店舗内で購入した物品に対する支払いを受取るレジを有し、前記データは、前記施設内に入店し、また前記施設から退出する人的移動体の率、及び以下のもののうち少なくとも１つを含む、すなわち、
前記施設からの人的移動体のチェックアウト率、
前記施設への人的移動体の入店量、
異なる時間帯に対する人的移動体の入店量、
前記施設内で異なる人的移動体が費やす時間量、
前記施設内における異なる時間量を費やす人的移動体の数を識別することに関連するデータ、並びに
少量買い物客向けには専用チェックアウト設備が指定される異なるチェックアウト設備を有する場合のデータであって、
少量買い物客の数、
多量買い物客、及び
前記施設内及びチェックアウト場所で費やす買い物客の時間率
に関する情報を含むデータ、
のうち少なくとも１つを含むものとし、前記アルゴリズムがこれらデータを処理する、方法。
【請求項４】
請求項１〜３のうちいずれか一項記載の方法において、前記施設は、３次元地理的ゾーンを有し、前記地理的ゾーンのアレイを通って移動する人的モバイルユーザーの前記３次元地理的ゾーンにおける移動及び行動パターンを特徴付けることができるようにし、前記人的ユーザーは、Bluetooth、又はＷｉ-Ｆｉ無線、又はＮＦＣシステムのうちから選択したものを装備したモバイルフォンを有するものとした、方法。
【請求項５】
請求項１〜４のうちいずれか一項記載の方法において、モバイルユーザーが店舗内を移動するとき、ゾーン進入及び退出のイベントを収集し、タイムスタンプ付けし、またネットワークを介してインターネットに送信する、方法。
【請求項６】
請求項１〜５のうちいずれか一項記載の方法において、イベント列を取得し、データを遠隔サーバーに送り付け、また行動詳細を進入/退出データから抽出する解析用のデータベースに格納する、方法。
【請求項７】
請求項２記載の方法において、前記施設は、ショッピング商業店舗とし、また前記ショッピング商業店舗内で購入した物品に対する支払いを受取るレジを有するチェックアウト場所を設け、前記データは、来訪者入店率及び来訪者チェックアウト率に基づいてチェックアウトレーン割当てを管理するアルゴリズムを適用する結果データセットを有し、チェックアウト率を使用して、来訪者が入店する率と同率で来訪者をチェックアウトする能力を有するレーン割当てを決定し、また
チェックアウト場所に進入してこのチェックアウト場所から退出し、また来訪者が入店する率に対して来訪者のほぼ連続した流れをもたらし、前記アルゴリズムが前記データを処理する、方法。
【請求項８】
請求項１〜７のうちいずれか一項記載の方法において、前記アルゴリズムは、経験的チェックアウトデータから小バスケット、中バスケット及び大バスケットの来訪者に対する来訪者チェックアウト率を確定し、来訪者入店率及び来訪者情報を使用して、選択的に小バスケット、中バスケット及び大バスケットそれぞれの来訪者数を決定する、方法。
【請求項９】
請求項１〜８のうちいずれか一項記載の方法において、前記アルゴリズムはチェックアウト率を確定し、このチェックアウト率を使用して、来訪者の入店率と同率で小バスケット、中バスケット及び大バスケットの来訪者数をチェックアウトするに必要なレーン数を決定する
、方法。
【請求項１０】
請求項７記載の方法において、前記アルゴリズムの出力は、レーン割当ての数及びタイプを規定する選択的な日々のタイムライン、１週間の異なる曜日に対する営業日の異なる時間帯における選択的な高速レーン及び一般レーンとし、これにより、店舗運営及び労務割当ての事前計画を立てるツールを提供する、方法。
【請求項１１】
場所に基づくサービスを施設の運営担当者に提供する方法であって、
前記施設に場所ノードを設け、前記場所ノードは無線信号のトランシーバを有し、受信した信号を中央ハブに送信して、前記中央ハブが受信した信号を処理できるようにし、
前記場所ノードは前記施設における特定場所に配置し、また前記場所ノードは、前記施設内の人的移動体と無線通信して前記施設内の前記人的移動体の場所及び移動を確定でき、前記人的移動体は、前記場所ノードに対して信号を無線で送受信する無線通信ユニットを有し、前記各ユニットは各人的移動体に一意的であるものとし、
各場所ノードは検出デバイスを有し、前記検出デバイスは、無線トランスミッタ／レシーバを含み、前記人的移動体及び前記人的移動体の無線通信ユニットのゾーンに対する進入、滞在及び退出を検出可能とし、前記人的移動体の無線通信ユニットは、Bluetooth又はＷｉ-Ｆｉ、又はＮＦＣシステムのうちから選択したものを装備したモバイルフォンとし、
前記場所ノードは前記施設内での前記特定場所に対する前記人的移動体の相対移動に関するデータを供給し、このようなデータとしては、前記特定場所内への進入、前記特定場所からの退出、及び特定場所の近傍で費やした時間量を含むものとし、
前記データは、リアルタイム、又は保存及び解析用に運営担当者が使用できるよう後の時点のうち少なくとも一方で運営担当者に送信するものとし、
コンピュータプロセッサが実行するアルゴリズムにより前記データを処理し、前記データは、前記特定場所内への進入、及び前記特定場所からの退出を含むものとし、
前記アルゴリズムは、前記施設内のレーンに進入する移動体の進入率及び前記施設内のレーンから退出する退出率に基づくパラメータを確定し、
前記施設は、空港ターミナルとし、また少なくとも１つのセキュリティチェック場所を有し、前記空港ターミナル施設を通過する人は、セキュリティチェック場所を迂回することなく、セキュリティチェック場所を通過する必要があるものとし、少なくとも１つのセキュリティチェック場所に関連する物理的場所にノードを配置し、場所ノードからのデータは、セキュリティチェック場所を通過する移動体の速度、及びセキュリティチェック場所の近傍にいる移動体の数の指標を含むものとした、
方法。
【請求項１２】
請求項２記載の方法において、前記施設はショッピング商業店舗とし、前記チェックアウト場所は、前記ショッピング商業店舗内で購入した品目に対する支払いを受取るレジを有し、前記データは、以下のもの、すなわち、
ａ）前記施設からの人的移動体のチェックアウト率、
ｂ）前記施設への人的移動体の入店量、
ｃ）異なる時間帯に対する人的移動体の入店量、
ｄ）人的移動体が前記施設に進入しまた退出する率
ｅ）前記施設内で異なる人的移動体が費やす時間量、
ｆ）前記施設内における異なる時間量を費やす人的移動体の数を識別することに関連するデータ、
ｇ）少量買い物客向けには専用チェックアウト設備が指定される異なるチェックアウト設備を有する場合のデータであって、
i.少量買い物客の数、
ii.多量買い物客
に関するデータ、
ｈ）前記施設内で費やす買い物客の時間率、及び
ｉ）前記チェックアウト場所で費やす買い物客の時間率
のうち少なくとも３つ、又は５つ、又はすべてを含むものとし、前記アルゴリズムがこれらデータを処理する、方法。
【請求項１３】
請求項１記載の方法において、人的移動体が反復して前記施設内にいるとき、同一の人的移動体を識別し、これによりその人的移動体のショッピング行動に関するデータを取得する、又はショッピングバスケットとは無関係に人的移動体を識別し、これによりその人的移動体のショッピング行動に関するデータを取得する、方法。
【請求項１４】
請求項１記載の方法において、前記アルゴリズムの出力は、レーン割当ての数及びタイプを規定する選択的な日々のタイムライン、１週間の異なる曜日に対する営業日の異なる時間帯における選択的な高速レーン及び一般レーンとし、これにより、店舗運営及び労務割当ての事前計画を立てるツールを提供する、方法。
【請求項１５】
場所に基づくサービスを施設の運営担当者に提供する方法であり、前記施設は物理的な壁によって形成されて物理的に規定される構造物とした、該方法において、
前記施設に一連の場所ノードを設け、前記場所ノードは、無線信号のトランシーバを有し、受信した信号を中央ハブに送信して、前記中央ハブが受信した信号を処理できるようにし、
前記場所ノードは前記施設における互いに離れた位置に配置し、また前記場所ノードは、前記施設内の人的移動体と無線通信して前記施設内の前記人的移動体の場所及び移動を確定するものとし、
前記人的移動体は、前記場所ノードに対して信号を無線で送受信する無線通信ユニットを有し、前記各ユニットは各人的移動体に一意的であるものとし、
前記場所ノードは検出デバイスを有し、前記検出デバイスは、無線トランスミッタ／レシーバを含み、前記人的移動体及び前記人的移動体の無線通信ユニットのゾーンに対する進入、滞在及び退出を検出可能とし、前記人的移動体の無線通信ユニットは、Bluetooth又はＷｉ-Ｆｉ、又はＮＦＣシステムのうちから選択したものを装備したモバイルフォンとし、
前記場所ノードは前記施設内での場所に対する前記人的移動体の移動に関するデータを供給し、このようなデータとしては、前記施設内への進入、前記施設からの退出、及び付加的に、互いに離れた位置に配置した場所の近傍で費やした時間量、前記施設内での前記移動体の移動経路を含むものとし、
前記データは、リアルタイム、又は保存及び解析用に運営担当者が使用できるよう後の時点のうち少なくとも一方で運営担当者に送信するものとし、
コンピュータプロセッサが実行するアルゴリズムにより前記データを処理し、前記データは、前記施設内への進入、及び前記施設からの退出を含むものとし、
前記アルゴリズムは次式により必要なレーン数ＬＸを決定し、すなわち、
ＬＸ＝Ｒ１（ｎＳ／１００）Ｔ１
ここで、
ＬＸ＝必要な高速レーンの数、
Ｒ１＝来訪者入来率
ｎＳ＝少量来訪者の割合、及び
Ｔ１＝高速レーンのチェックアウト率
である、方法。
【請求項１６】
請求項１記載の方法において、前記アルゴリズムは次式により必要なレーン数ＬＸを決定する、すなわち、
ＬＮ＝Ｒ１（ｎＬＧ／１００）Ｔ２
ここで、
ＬＮ＝必要な一般レーンの数、
Ｒ１＝来訪者入来率
ｎＬＧ＝多量来訪者の割合、及び
Ｔ２＝一般レーンのチェックアウト率
である、方法。
【請求項１７】
請求項１５記載の方法において、前記アルゴリズムは次式により必要なレーン数ＬＸを決定する、すなわち、
ＬＮ＝Ｒ１（ｎＬＧ／１００）Ｔ２
ここで、
ＬＮ＝必要な一般レーンの数、
Ｒ１＝来訪者入来率
ｎＬＧ＝多量来訪者の割合、及び
Ｔ２＝一般レーンのチェックアウト率
である、方法。
【発明の詳細な説明】
【技術分野】
【０００１】
本出願における発明は、概して無線デバイスをモニタリングする、及び特定の地理的な場所における無線デバイス間で無線通信によってメッセージ伝達（メッセージング）してその場所に出入り及び／又は通過する移動体の移動を容易にすることに関する。
【背景技術】
【０００２】
とくに、本明細書が開示する本発明は、その場所における移動体に対して待ち行列における行列長さ及び待ち時間を短くできるようにすることによってよりよいサービスをするという意味で待ち行列を改善することに関する。
【発明の概要】
【発明が解決しようとする課題】
【０００３】
本発明は、無線信号のトランシーバを有する場所ノードがある施設用の装置、システム及び方法に関する。場所ノードは施設内の中央ハブ及びモバイル（携帯）デバイスと通信する。場所ノードは施設内の特定場所に位置し、移動体が施設内でその場所に対して相対移動することに関するデータを供給する。これらデータは、移動体によるその場所への進入、その場所からの退去、その場所近傍で過ごした時間量のうち少なくとも１つであり、これらデータは、リアルタイムに、又は運営担当者が後の時点で使用する保存用に、の少なくとも一方として運営担当者に送信する。施設内には一連の場所ノードがあり得る。ノードは、施設内で移動体が移動することに関するデータを供給し、このようなデータには、例えば、施設内での移動体の移動経路がある。一形式において、施設は、物理的な壁によって形成された物理的に区切られた構造物とする。
【０００４】
１つ以上の実施形態において、システムは地理的なゾーンを使用することを含み、このゾーンは選択的に事前設定した地理的ゾーンである。ゾーンは複数のノードを有する。システムは、さらに、１又はそれ以上のユーザーと１又はそれ以上の制御ステーションとの間でメッセージを送ることを含み、メッセージ通信は少なくとも１つ又は複数のユーザーを宛先にする。ノードは多次元的な意味で配列し、この多次元的なの意味はｘ，ｙ及びｚ軸の３次元的又は座標的のいずれかである。システムは、さらに、ノードの３次元的な配置に基づくモバイルユーザーの場所に関連するデータを取得し、またデータマイニングすることを含む。
【０００５】
１つ又はそれ以上の実施形態において、システムは、Bluetooth（登録商標）装備のユーザーに関連する個人向けモバイルデバイスを使用し、このデバイスはメッシュネットワークにおけるBluetooth有効化場所ノードと通信する。Bluetooth装備の個人向けモバイルデバイスは、メッシュネットワーク内におけるユーザーの正確な相対的場所を決定する少なくとも１つの特定アルゴリズムを含む。さらに、Bluetooth装備の個人向けモバイルデバイスが或る場所ノードの範囲内にあるとき、特定イベントをトリガする。
【０００６】
１つ又はそれ以上の実施形態において、システムは、商業的メッセージ、選択的にはBluetooth装備の個人向けモバイルデバイスに対する広告をダウンロードすることを含む。システムは、さらに、ユーザーの位置データを選択したノードに送信することを含む。選択したノードはデータを、メッシュネットワーク、中継ステーション又は中間補助ステーションのうち少なくとも１つ内における他のノードを介して制御センターに送信する。ユーザーの位置データは、選択的に制御センター又は中間補助ステーションのうち少なくとも１つで処理及び解析する。
【０００７】
１つ又はそれ以上の実施形態において、システムは、地理的な多次元的なゾーンを使用し、またトランスポンダ又は加入者デバイスを有する移動可能な実体（移動体）にメッセージ伝達することを含む。デバイスは、選択的に携帯電話、携帯情報端末（ＰＤＡ：personal digital assistant）、ページャー、コンピュータ、又は適切なネットワークを介して他のデバイスと無線通信するよう構成したデバイスのいずれかとする。さらに、システムは、コンピュータ装置からトランスポンダ又は加入者デバイスのメモリに複数座標をダウンロードし、座標を画素分解画像にマッピングして割当てた画素分解画像を構造化可能にし、また、地理的空間を形成するよう画素分解画像における形状を包囲する画素の隣接アレイを形成することを含む。
【０００８】
１つ又はそれ以上の実施形態において、調節には、個人、車、又は他の移動体の移動を、モニタリングする、制御する、及び可視化することのうち少なくとも1つが含まれる。複数の座標をコンピュータ装置のユーザーが入力し、またトランスポンダ又は加入者デバイスに送信する。制御センターは、マップにおける選択ポイントによって複数の座標を入力し、マップにおける選択した各ポイントの地理的座標を計算する。さらに、制御センターは、コンピュータに経度、緯度、標高を入力することによって、複数の座標を入力する。地理的領域の多次元形状は、不規則な地理的形状である。本発明システムにおいて、メッセージは、多次元空間にマッピングされた移動体の場所に基づいて移動体に通信される。
【０００９】
本発明の上述の態様及び利点は、添付図面に関連する以下の詳細な説明を参照することによって一層容易に判明及び理解されるであろう。
【図面の簡単な説明】
【００１０】
【図１】移動体を制御及びモニタリングするコンピュータシステムの高レベルアーキテクチャを示す。
【図２】移動体を制御及びモニタリングするシステムに使用したトランスポンダ又は加入者デバイスにおけるコンポーネントのレイアウトを示す。
【図３】或る場所における店内通行を表す説明図である。
【図４】日／時間毎の店内通行量を表すグラフである。
【図５】１日の異なるゾーンにおける店内通行量を示す表形式の表示である。
【図６】或る場所におけるショールーミング（下見見物）内部通行を示す説明図である。
【図７】或る場所におけるショールーミング通行量を表すグラフである。
【図８】或る場所におけるショールーミング通行量を示す表形式の表示である。
【図９】或る場所における最初の入店店内通行状況を示す説明図である。
【図１０】或る場所における最初の入店店内通行状況を表すグラフである。
【図１１】或る場所における最初の入店店内通行状況を絵で表した説明図である。
【図１２】或る場所における通行足跡及び滞在を表す説明図である。
【図１３】或る場所における通行足跡及び滞在を示す表形式の表示である。
【図１４】或る場所における通行足跡及び滞在を絵で表した説明図である。
【図１５】或る場所における待ち時間及びレーン移り（ホッピング）を示す説明図である。
【図１６】或る場所におけるレジあたりの平均滞在時間を示す表形式の表示である。
【図１７】或る場所におけるレジでのレーン移りを示す表形式の表示である。
【図１８】或る場所におけるバスケット及び短時間通過客を表す説明図である。
【図１９】或る場所における買い物をするときの買い物客タイプ及び短時間通過客を示す表形式の表示である。
【図２０】インターネットへのネットワークを形成するゾーン中心におけるノードを表す説明図である。
【図２１】アルゴリズムデータフローを示すブロック図である。
【図２２】１日の時間経過にわたる施設への来訪客数を表すグラフである。
【図２３】第２のアルゴリズムデータフローを示すブロック図である。
【発明を実施するための形態】
【００１１】
本発明は、施設の運営担当者に対して場所に基づくサービスを行うシステム及び方法を提供する。一形式において、施設は、物理的な壁によって形成された物理的に区切られた構造物である。
【００１２】
施設は一連の場所ノードを有し、場所ノードは、無線信号のトランシーバを有し、また信号を中心ハブに送信し、中心ハブは受信した信号を処理する。ノードは施設内に互いに離れた位置に配置する。ノードは施設内の移動体と無線通信して施設内移動体の場所及び移動を確定するものとし、移動体は信号をノードに無線で送信するための無線通信ユニットを有するものとする。
【００１３】
ノードは施設における移動体の移動に関するデータを供給し、このようなデータとしては、施設内への進入、施設からの退出、互いに離れた位置に配置したノードの近傍で費やした時間量、施設内での移動体の移動経路のうち少なくとも１つを含む。
【００１４】
データは、リアルタイムに、又は運営担当者が後の時点で使用する保存及び解析用に、の少なくとも一方として運営担当者に送信する。
【００１５】
一形式において、施設は複数のチェックアウト場所を有する。施設から退出する人は、退出前に少なくとも１つのチェックアウト場所を通過する必要がある。ノードは、複数のチェックアウト場所における異なる各チェックアウト場所に関連する物理的場所に配置する。場所ノードからのデータは、異なるチェックアウト場所を通過する移動体数、移動体が異なるチェックアウト場所を通過する速度、異なる各チェックアウト場所の近傍における移動体の数のうち少なくとも１つを含む。
【００１６】
施設はショッピング商業店舗とすることができる。チェックアウト場所は、ショッピング商業店舗内で購入した品目の支払いを受取るレジを含む。データとしては、施設からの移動体のチェックアウト率、施設内への移動体入店量、異なる時間帯に対する移動体入店量、施設内への入店率、施設内での異なる移動体が費やす時間量のうち、少なくとも１つが含まれる。
【００１７】
データは、さらに、施設内でそれぞれ異なる時間量を費やす移動体数を区別することにも関する。異なるチェックアウト設備は、専用チェックアウト設備に少量買い物客しかいないよう指名され、またデータは、少量買い物客数、多量買い物客数、施設内のチェックアウト場所で費やす買い物客の時間率を含む。
【００１８】
システムは、地理的ゾーンのアレイを通過するモバイルユーザーの移動及び行動パターンを特徴付けるための、例えば３次元とした多次元的な２つの地理的ゾーンを有することができる。
【００１９】
場所が小売店である場合、この小売店を複数の多次元ゾーンに分割し、各ゾーンの半径は約０.９ｍ〜約９ｍ（約３〜約３０フィート）の範囲から選択的に設定可能にすることができる。
【００２０】
ノードは、各ゾーンの中心に配置した無線トランスミッタ／レシーバを有する検出デバイスである。この検出デバイスは、ブルートゥース、ＷＩ-ＦＩ及び他の短距離無線技術又はＮＦＣシステムのうちから選択したものを装備したモバイルフォンのゾーン進入及び退出のイベントを検出することができる。各デバイスは、ＷＩ-ＦＩブリッジ又は基地ステーションを介してインターネットに接続したネットワークの要素又はノードであり、ノードによって形成された幾つかの個別ネットワークがあり、これらネットワークから選択するものとする。
【００２１】
モバイルユーザーが店を通過するとき、ゾーン進入及び退出イベントを収集し、タイムスタンプ付けし、またネットワークに沿ってインターネットに送る。イベントの列は遠隔サーバーに送り付けて解析用データベースに格納し、このデータベースで行動詳細を進入／退出データから抽出する。
【００２２】
結果として得られるデータセットはアルゴリズムを適用し、来訪者の入店率及び来訪者のチェックアウト率に基づいてチェックアウトレーン割当てを管理する。チェックアウト率を選択的に使用し、入店率と同率でチェックアウト来訪者に対する処理能力を有するレーン割当てを決定し、これにより来訪者の入店から退出までのほぼ連続した流れを把握する機会を提供する。
【００２３】
アルゴリズムは、経験に基づくチェックアウトデータから小バスケット及び大バスケットの来訪者チェックアウト率を確定する。来訪者の入店率及び経路情報を使用して小バスケット及び大バスケットの来訪者数を決定する。
【００２４】
アルゴリズムはチェックアウト率を確定し、次にこのチェックアウト率を使用して、入店率と同率で小バスケット及び大バスケットの来訪者数をチェックアウトするのに必要なレーン数を確定する。アルゴリズム出力は、選択的にレーン割当ての数及びレーンタイプ、すなわち高速レーン及び一般レーンのいずれかを規定する日々のタイムラインである。このことはその１週間の各曜日における各営業時間帯に対して選択的に割当てることができ、これにより店舗運営及び人員割当ての事前計画を立てるツールを提供する。
【００２５】
本発明の他の実施形態において、施設運営担当者に対する場所に基づくサービスがあり、この施設は、物理的壁によって形成されて物理的に画定した構造物であり、物理的壁は施設内に場所ノードを提供する。場所ノードは無線信号のトランシーバを有し、受信信号を中央ハブに送信し、中央ハブが受信信号を処理できるようにする。
【００２６】
ノードは、施設内の特定位置に配置し、また施設内の移動体と無線通信し、施設内の移動体の場所及び移動を確定できるようにする。移動体は、信号を無線でノードに送信する無線通信ユニットを有する。ノードはその場所に対する移動体の施設内における移動に関するデータを供給し、このようなデータとしては、その場所内への進入、その場所からの退去、その場所の近傍で費やした時間量のうち、少なくとも１つを含む。データは運営担当者に送信し、この送信は、リアルタイム、又は保存及び解析用に運営担当者が使用する後の時点での少なくとも一方で行う。
【００２７】
施設は少なくとも１つのチェック場所を有し、施設を通過する人々は少なくとも１つのチェック場所を通過しなければならない。退出の際に、移動体がチェック場所を通過しないならば、システムは、誰かは来訪するものの必ずしも購入するとは限らず、又は来訪者は売上に転換しなかったと決定する。したがって、ノードは施設内に戦略的に配置し、必要なデータからの傾向把握（データマイニング）できるようにする。ノードは、少なくとも１つのチェック場所に関連する物理的場所に配置し、場所ノードからのデータは、チェック場所を通過する移動体の数、チェック場所を通過する移動体の速度、チェック場所の近傍における移動体の数を含む。
【００２８】
施設は空港ターミナルとすることができ、チェック設備はセキュリティチェックステーションとする。選択的に、複数のステーションがあるものとする。
【００２９】
本発明の一形式において、食料雑貨品店における行列を緩和する方法を提供する。このことは、２次元的又は３次元的な地理的ゾーンを使用して、ユーザーが地理的ゾーンのアレイを通って移動するときモバイルユーザーの移動及び行動パターンを特徴付けすることができる。
【００３０】
小売店は、各ゾーンの半径を約０.９ｍ〜約９ｍ（約３〜約３０フィート）の範囲から選択的に設定可能にできる、２次元又は３次元のゾーンに分割することができる。図３１は、ゾーン化した小売店レイアウトを示す。検出デバイスは、各ゾーンの中心に配置した無線トランスミッタ／レシーバとした検出デバイスであり、またBluetooth、又はＷＩ-ＦＩ無線又はＮＦＣシステムのうちいずれかを装備したモバイルフォンのゾーン進入及び退出のイベントを検出することができる。各デバイスは、図３９に示すように、ＷＩ-ＦＩブリッジ又は基地ステーションを介してインターネットに接続したネットワークの要素又はノードである。一般的に、幾つかの個別ネットワークはノードによって形成される。
【００３１】
モバイルユーザーが店を通過するとき、ゾーン進入及び退出イベントを収集し、タイムスタンプ付けし、またネットワークに沿ってインターネットに送る。最終的に、イベントの列は遠隔サーバーに送り付けて解析用データベースに格納し、このデータベースで行動詳細を進入／退出データから抽出する。
【００３２】
データ解析
日々及び季節的条件に関する買い物客のパターン及び行動を特徴付ける能力は、以前には得られなかった、リソース用途、労務割当て、及び店舗運営を最適化することに対する洞察力及び特異な管理機会を与えた。
【００３３】
メトリクス・データ・システム（ＭＤＳ：Metrics Data System）を使用して、一週７日間午前６時開店から午後１１時まで営業の大型食料雑貨店舗で２か月間にわたり、買い物客データを収集した。
【００３４】
この結果として得られたデータセットを使用してアルゴリズムを開発した。これらデータセットは、バスケットサイズ割当て、指定時間帯内のストップ数、及び全体パターン／通行トリップ時間のためのアルゴリズム論理を含む。
【００３５】
履歴データによる傾向は、バスケットサイズに関する日々の及び履歴による傾向を見ながら考慮し、また１日の時間帯、及び１週間の曜日に基づく加重平均をとり、レーンタイプ及び必要な労務を決定する。バスケットサイズ、及び１日のその時間帯及び１週間の曜日に対する処理量を満足させるのに必要なレーン数に関して店舗マネージャーに警告を発する５分刻みの１日の時間に基づく履歴的な通行トリップ距離を考慮する。
【００３６】
処理能力対需要アルゴリズムは、１週間の曜日及び１日の時間におけるバスケットサイズに対する加重平均、時間あたりの履歴的レーン処理量、及び発生する従来のレーン移り（ホッピング）量を使用した。平均すると、１週間の曜日及び１日の時間に基づく処理能力の９４％が主要レジに集中するとき、新たなレーンを開く。
【００３７】
アルゴリズムの他の特徴としては、以下のものがある。すなわち、
Ａ．一般レーンにおける１時間あたりの調整可能処理量＝一般レーンの１時間あたりの所望処理量をセットする
Ｂ．高速レーンにおける１時間あたりの調整可能処理量＝高速レーンの１時間あたりの所望処理量をセットする
Ｃ．履歴的ドアカウント数に基づく調整可能な日々の店舗顧客
Ｄ．曜日セレクタにより店舗マネージャーは１週間の曜日を選択でき、時間モデルがその日の履歴的傾向を見て、また時間毎のレーン数及びレーンタイプを割当て、この割当ては来訪者の入店率及び来訪者チェックアウト率に基づくチェックアウトレーン割当てを最適化するよう、レーンあたりの調整した所望処理量に基づいて行う。チェックアウト率を使用して、来訪者が入店するのと同率で来訪者をチェックアウトする処理能力を有するレーン割当て（タイプ及び数）を決定し、これにより来訪者の入店から退出までの連続した流れを把握する機会を提供する。
【００３８】
アルゴリズムは、経験に基づくチェックアウトデータから小バスケット及び大バスケットの来訪者チェックアウト率を確定する。来訪者の入店率及び経路情報を使用して小バスケット及び大バスケットの来訪者数を決定する。次にチェックアウト率を使用して、入店率と同率で小バスケット及び大バスケットの来訪者数をチェックアウトするのに必要なレーン数を決定する。
【００３９】
アルゴリズム出力は、１週間の各日における各営業日の各時間帯に対してレーン割当ての数及びレーンタイプ（高速レーン及び一般レーン）を規定する日々のタイムラインであり、これにより店舗運営及び人員割当ての事前計画を立てるツールを提供する。
【００４０】
履歴データを使用して事前計画を立てることができるとともに、リアルタイムＭＤＳデータを使用して必要とされる調整を行うことができる。
【００４１】
アルゴリズムの説明
アルゴリズムは、図３のフロー図に示す個別の４つのデータセットを使用する。
・来訪者チェックアウト率
・来訪者量
・来訪者入店率
・小／中バスケットの大バスケットに対する比
【００４２】
来訪者チェックアウト率
来訪者チェックアウト率は経験的データから確立する。小-中バスケットは１〜１５品目を収納するバスケットとして定義する。大バスケットは１６〜６０品目を収納するバスケットとして定義する。小売店のチェックアウト率は、物品スキャン時間、支払い及び領収書返却、並びに袋詰め機の使用又は不使用に基づいて計算する。
【００４３】
食料雑貨品店に使用される率を以下の表に示す。中央値は説明した計算のために使用した。表における値の導出及び計算の詳細な説明は、チェックアウト率導出の説明の項で行う。
【００４４】
【表１】
2014176092.tif 000003
【００４５】
来訪者量及び来訪者入店率
来訪者量は、１週間の各曜日における１日あたり、１時間あたりの来訪者数である。これを使用して、来訪者入店率、営業日の各時間に対する１時間あたりの来訪者数を確定する。
【００４６】
以下の表は、０６００、すなわち朝の６：００ＡＭ開店、２３００、すなわち夜の１１：００ＰＭ閉店とする代表的な営業日のデータセットである。
【００４７】
【表２】
2014176092.tif 000004
【００４８】
１時間あたりの来訪者はＭＤＳ入店カウンタから導出した入店率を与える。
【００４９】
バスケットサイズ比
来訪者イベント列を処理して、ストップ数（ゾーンにおける滞在時間）を抽出する。経験的データは、ストップ数がバスケット品目数の信頼性ある測定値を与えることを示した。これらデータを販売時点真正データと組合せると、１〜１５品目用の小-中バスケットの来訪者が一貫して来訪者人数の７５％であり、また１６〜６０品目用の大バスケットの来訪者が残りの２５％になることも示している。ストップの長さはバスケットサイズを決める有益な要素である。来訪者のチェックアウト率は、経験的チェックアウトデータから選択的に小バスケット、中バスケット及び大バスケットの来訪者用にすることができ、来訪者入店率及び来訪者経路の情報を使用して、小バスケット、中バスケット及び大バスケットの来訪者数を選択的に決定する。
【００５０】
この比を使用して、２つの来訪者グループそれぞれの数を決定する。例えば、１４００時における来訪者数が３６０名である場合、
・３６０の７５％は（０.７５)(３６０）＝２７０名の小-中バスケット来訪者であり、
・また
・３６０の２５％は（０.２５)(３６０）＝９０名の大バスケット来訪者である。
【００５１】
チェックアウトレーンタイプ及びレーン数の割当て
その時点での大及び小バスケットの来訪者数をチェックアウトするのに必要な高速レーン及び一般レーンの数により、上述したチェックアウト率を決定することができる。
【００５２】
上述の例を使用して、０６００時以来入店した小-中バスケットの買い物客がその時２７０名いることを決定した。これら来訪者は高速レーンを使用するであろう。
【００５３】
７品目入れた中バスケットサイズ、及び１時間あたり４７.３７名のチェックアウト率を考慮すると、入店率と同率で小-中バスケット来訪者をチェックアウトするのに必要な高速レーン数は、来訪者入店率を高速レーンチェックアウト率で割り算することによって与えられる。
・２７０／４７.３７＝６高速レーン
同様に、必要な一般レーンの数は、大バスケット来訪者入店率を一般レーンチェックアウト率で割り算することによって与えられる。
・９０／２２.６４＝４一般レーン
【００５４】
表３は、２か月の期間にわたるＭＤＳデータの日々の平均を使用する割当てのまる１日分を示す。
【００５５】
１年間隔にわたり記録した履歴データを平均化し、１年の各日付の各営業時間に対する人員要件の事前計画を立てるのに使用することができる。日にちによるまた時間による変動に対処するため、ＭＤＳリアルタイムデータと組合せた履歴データは、人員割当て及び人員要件を定量化するとともに、顧客のチェックアウト処理及び待ち時間を最適化する上で実用的で合理的な手段を提供することができる。
【００５６】
【表３】
2014176092.tif 000005
【００５７】
施設の運営担当者に対して場所に基づくサービスを与えるシステム及び方法があり、物理的な壁によって形成された物理的に区切られた構造物である施設は、一連の場所ノードを有し、場所ノードは、無線信号のトランシーバを有し、また信号を中心ハブに送信し、中心ハブは受信した信号を処理する。ノードは施設内に互いに離れた位置に配置し、ノードは施設内の人的移動体と無線通信して施設内での人的移動体の場所及び移動を確定する。
【００５８】
人的移動体は、信号をノードに無線で送信及び受信するための無線通信ユニットを有するものとし、各ユニットは各人的移動体に一意的なものとする。
【００５９】
ノードは、無線トランスミッタ／レシーバを有する検出デバイスであり、人的移動体及び人的移動体の無線通信ユニットのゾーン進入及び退出イベントを検出することができる。無線通信ユニットは、Bluetooth、ＷＩ-ＦＩ無線及びＮＦＣシステムのうちから選択したものを装備したモバイルフォンである。
【００６０】
ノードは、人的移動体の施設内における移動に関するデータを供給し、このようなデータとしては、施設内への進入、施設からの退去のうち少なくとも１つを含むものとする。さらに、データは、互いに離れた位置に配置したノードの近傍で費やした時間量、及び施設内での移動体の移動経路のうち、少なくとも１つを含む。ノードは、施設に対する人的移動体の進入及び退出をモニタリングする。
【００６１】
データは運営担当者に送信し、この送信は、リアルタイム、又は保存及び解析用に運営担当者が使用する後の時点での少なくとも一方で行う。アルゴリズムにより、施設内への進入、施設からの退去を含むデータが処理される。
【００６２】
施設は複数のチェック場所を有し、施設を退出する人々は、施設を退出する前に少なくとも１つのチェック場所を通過しなければならない。ノードは、複数のチェックアウト場所における異なる各チェックアウト場所に関連する物理的場所に配置する。場所ノードからのデータは、異なるチェック場所を通過する人的移動体の数、異なるチェック場所を通過する人的移動体の速度、及び異なる複数のチェックアウト場所の近傍における人的移動体の数を含む。
【００６３】
施設はショッピング商業店舗とすることができ、チェックアウト場所は、購入した品目の支払いを受取るレジを含み、データは、チェックアウト率を確立し、また施設内への進入率と同率で小及び大バスケットの来訪者数をチェックアウトするのに必要な数のレーンを決定するアルゴリズムを適用することによって得る。
【００６４】
本発明によるシステム及び方法はショッピング商業店舗に関し、またチェックアウト場所は、ショッピング商業店舗で購入した品目の支払いを受取るレジを含み、データは、以下に示すもののうち、少なくとも１つ、３つ、５つ又はすべてを含むものとする。すなわち、
施設内への人的移動体の進入量、
異なる時間的期間に対する人的移動体の進入量、
施設に対して人的移動体が進入及び退出する率、
異なる人的移動体が施設内で費やす時間量、
施設内で異なる時間量を費やす人的移動体の数を区別することに関するデータ、及び
専用チェックアウト設備を少量買い物客用に指名する異なるチェックアウト設備
があり、データは以下のものに関する情報を含む。すなわち、
少量買い物客数、及び
多量買い物客数
施設内で買い物客が費やす時間率、及び
チェックアウト場所で買い物客が費やす時間率
を含む。
【００６５】
アルゴリズムはデータを処理する。
本発明方法及びシステムは、同一の人的移動体が施設内に繰り返し進入するときに、この同一の人的移動体を識別し、これによりその人的移動体のショッピング行動に関するデータを取得する。さらに、本発明方法及びシステムは、同一の人的移動体が施設内に繰り返し進入するときに、この同一の人的移動体を識別し、これによりその人的移動体のショッピング行動に関するデータを取得する。さらにまた、本発明方法及びシステムは、ショッピングバスケットとは無関係に人的移動体を識別し、またこれによりその人的移動体のショッピング行動に関するデータを取得する。
【００６６】
さらに、本発明方法及びシステムはアルゴリズム出力を適用し、このアルゴリズム出力は、選択的にレーン割当ての数及びレーンタイプ、すなわち高速レーン及び一般レーンのいずれかを規定する日々のタイムラインであり、このことはその１週間の異なる曜日における営業日の異なる時間帯に対して選択的に割当てることができ、これにより店舗運営及び人員割当ての事前計画を立てるツールを提供する。
【００６７】
待ち行列コンセプト
待ち行列アルゴリズムは以下の概念に基づいて開発する。
最適来訪者チェックアウト率は、動作している高速レーン（１〜１５品目バスケット用）の数及び動作している一般レーン（１５より多い品目バスケット用）の数をある時間帯に店内にいる小バスケット来訪者及び大バスケット来訪者の数に基づいて変化させることによって得ることができる。
【００６８】
このことは、無線Ｗｅｒｘ（登録商標）データシステムで可能になり、このシステムによれば、ＷｉＦｉ／Bluetooth（登録商標）ネットワークが大バスケット来訪者に対する小バスケット来訪者の比を、店内全体にわたる来訪者がとるストップ数をサンプリングすることによって決定する能力を与える。それらの比を、ドアカウンタのデータから得られる店内の実際の来訪者人口に当てはめるとき、実際の小バスケット及び大バスケットの合計を計算することができ、高速レーン及び一般レーンの最適数を計算することができる。
【００６９】
以下のアルゴリズムを使用して高速チェックアウトレーンＬＸ及び一般チェックアウトレーンＬＮの最適数を決定する。
【００７０】
ＬＸ＝Ｒ１（ｎＳ／１００）Ｔ１
ただし、ＬＧは小バスケットであり、ｎＳは小バスケットの数又は少量来訪者の表記とする。
ここで、
ＬＸ＝必要な高速レーンの数（レーン）
Ｒ１＝来訪者入店率（来訪者／時間）
ｎＳ＝小バスケット又は少量来訪者の割合（％）
Ｔ１＝高速レーンのチェックアウト率（４７.３７来訪者／時間／レーン）
ＬＮ＝Ｒ１（ｎＬＧ／１００）Ｔ２
ただし、ＬＧは大バスケットであり、ｎＬＧは大バスケットの数又は多量来訪者の表記とする。
ここで、
ＬＮ＝必要な一般レーン数（レーン）
Ｒ１＝来訪者入店率（来訪者／時間）
ｎＬＧ＝大バスケット又は多量来訪者の割合（％）
Ｔ２＝一般レーンのチェックアウト率（２２.６４来訪者／時間／レーン）
【００７１】
このことを図２３に示す。
上述のアルゴリズムは、レーンが開いていること、又は利用可能であることを前提としている。ショッピングエリアのような施設を訪れる多くの人々はカート又はバスケットを使用しないので、カートに関連するＲＦＩＤに頼ることは、モバイルフォン、スマートフォン、又はＰＤＡのような個人的トランシーバを持つ人間の移動をできるだけ適切に又は正確にモニタリングして傾向を把握するのに有意な又は正確なデータは得られない。このことは、待ち行列要求及び経時的な要望に関連し得る個人の移動及び行動をより正確にモニタリングする。人間が施設内でとるストップ数によって推察し得る量のサイズをモニタリングすることによって、より有意なデータを得る。
【００７２】
他のアルゴリズムは、待ち行列がある空港（又は他の大量輸送施設）での使用に適用することができ、またこれらアルゴリズムは、異なる待ち行列における待ち時間、異なる待ち行列における複合的待ち時間に関連する特徴を適用する。
【００７３】
モニタシステムのハードウェア
モニタシステムは、３つの個別要素タイプ、すなわち、１つ以上のノード、１つ以上の基地ステーション、及び遠隔システムサーバーにより構成する。
【００７４】
ノード
ノードは、小さい無線周波数（ＲＦ）レシーバ及びトランスミッタ（トランシーバ）であり、１組のトランプカードのサイズである。ノードは、Bluetoothデバイス、又はＷｉ-Ｆｉデバイス又はＮＦＣシステムのいずれかとすることができる。いずれの場合でも、システムサーバー内のソフトウェアは、ＩＤ及び小売店舗レイアウト内の位置における正確な地理的場所、並びに割当てられた仮想ゾーンエリアの直径を含む。
【００７５】
Bluetoothノードは連続的な一般照会メッセージ（３２００回／秒）を送信し、またモバイルデバイス応答を聴取する。モバイルデバイスは連続的に照会を聴取し、１つ受信した後に一意的なBluetoothＭＡＣアドレス及びデバイスタイプを含むメッセージで応答する。
【００７６】
ノードにおけるファームウェアはＭＡＣアドレス、デバイスタイプ、及びノードが受信した信号強度（ＲＳＳ）を収集し、またこれら情報細目をインターネットを介して管理システムサーバー内のスキャンサービスソフトウェアに返送する。
【００７７】
モバイルデバイスからの初期受取り後、一意的なBluetoothＭＡＣアドレスを登録し、タイムスタンプ付けをする。後続のメッセージは、１〜３０秒の間隔でサンプリングし、またモバイルデバイスがゾーンアレイを通って移動し、１つのゾーンから他のゾーンに進入、滞在、及び退出するにつれて、イベント列の時間履歴が展開される。ノード位置に対するモバイルデバイス位置はＲＳＳデータから決定する。
【００７８】
ゾーン近接結果は、ノードが極めて低い出力、例えば、約１００万分の１ワットで送信するとき最も効果的である。
【００７９】
Ｗｉ-Ｆｉノードは完全な受動的モードで動作する。送信は含まれない。他のあらゆる点で、Ｗｉ-ＦｉノードはBluetoothノードと同様であり、Ｗｉ-ＦｉノードはモバイルデバイスのＷｉ-Ｆｉ送信を聴取し、同一のデータ項目、すなわち、ＭＡＣアドレス、デバイスタイプ、及びＲＳＳを収集し、それらをインターネットを介して管理システムサーバーに返送する。
【００８０】
ノードネットワーク（スキャターネット）
システム内のBluetoothノードは、他のBluetoothデバイスと７つの同時通信リンクを維持することができる。それらリンクのうち２つを使用して、他の２つの近接ノードとネットワーク又はチェーンを形成する。１つのこのようなチェーンを図２に示し、この場合４つのノードが接続される。各ノードが取得するデータはチェーンに沿って１つのノードから他のノードに送られ、最終的に基地ステーションのブリッジを介してインターネットに送られる。
【００８１】
基地ステーション
基地ステーションは、２つのトランシーバ、すなわち、一方はBluetoothデバイス、他方はＷｉ-Ｆｉにより構成する。Bluetoothデバイスは、１つ以上のチェーンに接続し、またチェーンにおける他のノードからのデータをＷｉ-Ｆｉに送り、この後データをインターネットに送るノードとして作用する。無線基地ステーションは単独無線のみ必要とする。
【００８２】
チェックアウト率導出
本明細書に記載の本発明によれば、Bluetoothを介して正確で確実な、屋内受動カスタマー分析性を遂行する。本発明によれば、収益を促進し、店舗フォーマットを最適化し、運営効率を上げ、また改善した顧客満足度をもたらすのに役立つ。申請は何ら、又は最小のものしか必要ではなく、顧客の行為は全く不要である。データは暗号化され、また匿名化される。
【００８３】
本発明による技術を使用して、食料雑貨店主にとって、どの顧客がレーン移りをしたかを含めた新たなベンチマークを確立できる。ＣＳＡＴのこの重要な推進要素は、レーン最適化事業を書き換える新たなベンチマークである。
【００８４】
本発明システムは、Ｗｉ-Ｆｉプロバイダを有する大量輸送場所、例えば空港に適用可能である。Bluetooth技術はマーケットに正確で確実な受動分析性をもたらす。スマートフォンのような携帯電話はBluetoothを使用しているので、システムは幅広く運用し、申請は何ら若しくは最小のものしか必要ではなく、又は顧客を強制的に介入させる必要もない。
【００８５】
ポジショニング（測位）はデバイスの連続的な第２ポーリングによって行われ、したがって、顧客のトラックを喪失することはない（Ｗｉ-Ｆｉネットワークソルーションとは異なる）。デバイスのポーリングは一定レート（上昇しないで）で行われ、またポジショニングのアルゴリズムは必要に応じてより高い頻度で行うことができる。７.６２ｃｍ（３インチ）ほどの小さい半径の精度で、マーケット内の正確な近接度を与える。これら特徴としては、以下のものがある。すなわち、
人数計測
・店内ピーク通行量
・１日の店内通行量
・１時間あたりの店内通行量
・店内通行人
・反復通行人
・入店率
・反復通行量
屋内正確場所
・ゾーンピーク通行量
・売り場変更
・購買パターン
・購買セグメント時間
・反復通行量
・最初の場所
・滞在時間
・仕入係（バイヤー）ではない買い物客
待ち行列管理
・待ち行列ピーク通行量
・レーン処理量
・待ちベンチマーク
・レーン通行時間／日
・レーン移り
・バスケットサイズ＋
・クイックトリップ
・反復顧客
大量輸送
・大量通行フロー傾向
・ピーク通行時間
・推定待ち時間
・ＡＢフロー検査
・セキュリティ待ち行列管理
・予測待ち行列
・（例えば、セキュリティライン８は１２分の待ち時間がある）
【００８６】
内部通行
労務割当て、増加した変更、及び売り場最適化を支援する売り場通行及び売り場内通行の測定。施設は待ち時間をポスティングする指標を有し、インターネット、電話、メッセージ、又はディスプレイによる通信のいずれかを選択的に含む。設備は、ストリート又はサイドウォークのいずれかの主要通路通行に対する少なくとも１つのチェックアウトステーションとして定義することができる。
【００８７】
ワン＆ダン（１回限り）リサーチ
１日の時間帯及び売り場のリサーチ及びショールーミング（下見見物）行動の定量化。これら顧客の関心を引き、そして購買行動に転換させる店舗レベルの「ワン＆ダン（one & done）」ベンチマーク
【００８８】
この場合、どの日にち、どの場所、１日におけるどの時間を知ることによって、顧客を取り込み、その５２％を購買行動に転換させる機会を得る。
【００８９】
顧客意図
最初の来訪場所は、入店する買い物客の意図を表す主要な指標である。価格、販促及び推奨がどのようなものであるかを見ることが、時間をかけての顧客の全体的な認知度に影響する。
【００９０】
通行足跡及び滞在
店舗の各売り場内で足を運ばせ、また顧客の関心を引くブランドを見る。この小売店舗において、全通行量の５０％は店舗専有面積の４０％に集中する。
【００９１】
待ち時間及びレーン移り
レジを最適化し、労務を管理し、またレーン移りのを発生及び全体的レジ待ち時間を減らすことによって顧客満足度を向上する。
【００９２】
バスケットサイズ／クイックトリップ（急ぎ）客
バスケットサイズアルゴリズムは買い物客の行動パターンを理解するのを支援する。クイックトリップ客対買いだめ客に対して日毎及び時間毎に対処することによってバスケットサイズを増大する。
【００９３】
大規模小売（量販）店
初来訪場所全体の約６０％という大きな割合が足跡の３０％以内にあることは、運営担当者が顧客の意図を理解することによって購買行動転換を向上させるよう影響を及ぼすことができる。量販店の店舗の１つの場所から出てくるすべての顧客のうち約４０〜５０％は、チェックアウト場所を通過することなく退出する。本発明の技術はこのことを把握し、ショールーミング（下見見物）を減らし、高い売り上げに転換していく。
【００９４】
食料雑貨商
レーン移り（レーンホッピング）をする人（レーンホッパー）は問題の核心であり、本発明システムはレーン運用をより効率的にする。国内食料雑貨商に対する待ち時間を評価すると、顧客の約１５％がレーン移りをした。レーン移りはレーン待ち時間、又は不十分なスタッフ配置及びレーンタイプ利用可能性の結果である。このことは、レジ待ち時間を減らすことによって顧客満足度を向上させることができる。
【００９５】
食料雑貨商におけるクイックトリップ（急ぎ）客は顧客の約２０％存在する。このことは、顧客はすぐにチェックアウトラインに入って出ていくことを意味する。本発明システムは、顧客のクイックトリップ行動をてこ入れすることによって、バスケットサイズを増大させることができる。
【００９６】
本発明方法及びシステムは、ユーザーが、地理的ゾーンを使用することにより、個人、車、及び他の移動体を制御及びモニタリングできるようにする。これらゾーンは事前設定した地理的ゾーンとすることができる。このようなゾーンは複数のノードを有する。異なる状況において、メッセージはこれら１又は複数のモバイルユーザーと１又は複数の制御ステーションとの間で送信することができる。ユーザーは、メッセージ通信するグループにおける単独ユーザー又は複数ユーザーとすることができる。メッセージは１又は複数ユーザー宛てにすることができる。
【００９７】
多次元の意味はｘ，ｙ及びｚ軸又は座標の３次元の意味とすることができる。本発明システムによれば、３次元の意味でノード配置に基づいて３次元マッピングすることができる。さらに、メッセージを３次元空間内の移動体場所に基づいて移動体に通信することができ、またメッセージは商業的又は緊急メッセージとすることができる。
【００９８】
ノードは、好適には、メッシュネットワーク又は適当なネットワーク構成の一部とする。ノードは、好適には、トランスポンダ、又は携帯電話、携帯情報端末（ＰＤＡ）、又はBluetoothプロトコルを使用する同様のデバイスとすることができる加入者デバイスと通信する。
【００９９】
特別な一態様においては、移動体場所の微細分解能決定に作用する能力がある。この能力にはその場所の３次元マッピングを含む。本明細書が開示するのは、特定場所の相対的な精細な３次元マッピングのための装置及び方法である。本発明装置及び方法は、Bluetoothプロトコルを使用して無線周波数（ＲＦ）を介してメッシュネットワークにおける場所ノードと無線通信するBluetooth装備のデバイスを利用することができる。Bluetooth装備のデバイスは、少なくとも１つの特別なアルゴリズムを使用してメッシュネットワーク内の３次元場所を決定する。この結果得られる場所データを使用して、その特定場所を中心とする精細分解能マップを生成する。
【０１００】
他の特別な態様において、モバイルユーザーの場所に関連するデータを取得し、また傾向を把握するデータマイニングする能力がある。この能力は、ユーザーの相対的精細３次元場所に関連するデータをデータマイニングするための装置及び方法を含む。この装置及び方法はユーザーに関連するBluetooth装備の個人用モバイルデバイスを利用し、Bluetoothプロトコルを使用して無線周波数（ＲＦ）を介してメッシュネットワークにおける場所ノードと無線通信することができる。Bluetooth装備の個人用モバイルデバイスは、少なくとも１つの特別なアルゴリズムを含み、メッシュネットワーク内のユーザーに関する相対的精密場所を決定する。Bluetooth装備の個人用モバイルデバイスが或る場所ノードの範囲内にあるとき、特定イベントをトリガする。これらイベントとしては、限定しないが、適当な広告をBluetooth装備の個人用モバイルデバイスにダウンロードすることを含む。さらに、場所ノードは、ユーザー場所データをメッシュネットワーク内の他のノード、リレーステーション、及び／又は中間補助ステーションを介して中央ステーションに送信する。ユーザー場所データは、中央ステーション及び／又は中間補助ステーションで処理及び解析を行うことができる。
【０１０１】
他の特別な態様においては、３次元ユーザー場所データを利用するセキュリティ支援システムを提供する能力がある。この能力としては、ユーザーの３次元場所データを使用して、モバイルユーザーのセキュリティ支援を行う装置及び方法を含む。この装置及び方法はユーザーに関連するBluetooth装備の個人用モバイルデバイスを利用し、Bluetoothプロトコルを使用して無線周波数（ＲＦ）を介してメッシュネットワークにおける場所ノードと無線通信することができる。Bluetooth装備の個人用モバイルデバイスは、少なくとも１つの特別なダウンロードしたアルゴリズムを使用し、メッシュネットワーク内のユーザーに関する相対的特定場所を決定する。緊急イベントが発生するとき、中央ステーション及び／又は中間補助ステーションは、緊急通知をメッシュネットワークにおける特定ノードグループ内に位置するユーザーに送信する。これら緊急通知は、メッシュネットワーク内の他のノード及び／又は中継ステーション経由で送信する。
【０１０２】
一態様において、２次元又は３次元であり、トランスポンダ又は加入者デバイスを持つ移動体を調節するのに使用できる地理的ゾーンを画定する方法がある。デバイスは、適当なネットワークを介して他のデバイスと無線通信するよう構成した、携帯電話、ＰＤＡ、ページャー、コンピュータ、又は同様なデバイスとすることができる。
【０１０３】
トランスポンダ又は加入者デバイスは、上述のコンポーネント及び／又は同様のコンポーネントの異なる多くの組合せを含むことができる。例えば、トランスポンダ又は加入者デバイスは、２つのモデム、すなわち、一方は衛星モデム、もう一方は携帯モデムとすることができる。さらに、トランスポンダ又は加入者デバイスは、Bluetooth装備レシーバ、Bluetooth装備トランスミッタ、Bluetooth装備トランシーバ、及び／又は他のコンポーネントと組合せたＧＰＳレシーバを含むことができる。１つ又はそれ以上の実施形態において、任意の又はすべてのコンポーネントはトランスポンダ又は加入者デバイス内の同一集積回路（ＩＣ）チップ上にともに配置する。トランスポンダ又は加入者デバイスのコンポーネントは、移動体が必要とする機能に依存する。
【０１０４】
図１は、限定しないが、自動車及び人物を含む移動可能な実体（移動体）を制御し、またモニタリングするコンピュータシステムの高レベルアーキテクチャを示す。複数の移動体１１０は、自動車１１５又は個人１１５ａを追跡し、また遠隔制御する機能を可能にする少なくとも１つのトランスポンダ又は加入者デバイス１０５を有する。
【０１０５】
トランスポンダ又は加入者デバイス１０５は、複数の通信ネットワーク及び通信ネットワークの任意な組合せと接続する。一実施形態において、このような通信ネットワークは、複数セルラー基地ステーション１２０及びサービスプロバイダ１３５を含むセルラーネットワークとする。他の実施形態において、このような通信ネットワークは、ＳＭＳレシーバ１２５及びサービスプロバイダ１４０を有する複数セルラー基地ステーションを含むセルラーネットワークとする。他の実施形態において、このような通信ネットワークは、複数の衛星レシーバ及びトランスミッタ１３０及び衛星地上ステーション１４５を含む衛星ネットワークとする。さらに他の実施形態において、このような通信ネットワークは、短波無線ネットワークとする。
【０１０６】
通信ネットワークによれば、トランスポンダ又は加入者デバイス１０５はバックエンド制御システム１５０と通信することができる。トランスポンダ又は加入者デバイス１０５は、通信ネットワーク経由でイベント情報をバックエンド制御システム１５０に送信し、またバックエンド制御システム１５０がトランスポンダ又は加入者デバイス１０５に送信したコマンドに応答する。バックエンド制御システム１５０は、コーデック１５５と相互作用する複数のゲートウェイ１５１，１５２，１５３及び１５４を有する。コーデック１５５は、バックエンド制御システム１５０の中央符号化器（コディファイヤ）及び復号器（デコディファイヤ）とし、バックエンド制御システム１５０が任意の通信ネットワークと通信するのを可能にする。モジュール式設計によれば、監視及び報告ソフトウェアを変更する必要なしに、新たなハードウェア及びネットワークプロトコルを導入することができる。バックエンド制御システム１５０は、さらに、非同期経路指定システム１５９を有し、出入りする通信を非同期にかつ効率的に取扱うことができる。一実施形態において、非同期経路指定システム１５９は、複数の経路指定サービス装置１５６、少なくとも１つのデータベース１５７及びウェブサーバー１５８を有する。経路指定サービス装置１５６により経路指定されたメッセージは直接的にクライアントコンソール１７６に通信される。クライアントコンソール１７６は、自動車１１５及びトランスポンダ又は加入者デバイス１０５の情報をオペレータに提示する。クライアントコンソール１７６は、バックエンド制御システム１５０及び通信ネットワークを介してトランスポンダ又は加入者デバイス１０５にコマンドを送信する。
【０１０７】
図１は、自動車１１５又は個人１１５ａのトランスポンダ又は加入者デバイス１０５に関する無線接続性を示す。トランスポンダ又は加入者デバイス１０５は、ＧＰＳ衛星１３０からの無線信号を受信し、トランスポンダ又は加入者デバイス１０５が位置情報を処理することができる。トランスポンダ又は加入者デバイス１０５は、トランスポンダ又は加入者デバイス１０５に集積した複数の無線デバイスハードウェア、短波無線１５４、セルラーレシーバ１２０、１２５及び衛星１３０を介して種々のネットワークと無線通信することができる。
【０１０８】
トランスポンダ又は加入者デバイスのハードウェア構成
図２は、トランスポンダ又は加入者デバイス１０５の内部回路板２４０を示す。ランスポンダ又は加入者デバイスの内部回路板２４０は、少なくとも１つのＧＰＳレシーバ２１５、少なくとも１つのＣＰＵ２１０、少なくとも１つのセルラーモデム、及び少なくとも１つのメモリモジュール２８０を有する。少なくとも１つのBluetoothトランスミッタ／レシーバ２２５を内部回路板２４０に設けることができる。Bluetoothトランスミッタ／レシーバ２２５は、トランシーバとして、個別のトランスミッタ及びレシーバとして、トランスミッタ単独として、又はレシーバ単独として実装することができる。一実施形態において、追跡システムは、セルラーネットワーク及び衛星ネットワークの双方を使用して最も手頃でグローバルな受信可能範囲を得る。
【０１０９】
ＧＰＳレシーバ２１５は、数フィート以内の測位精度を可能とする。例えば、１２チャネル・トリンブルＳＱ、ラパイックＵＶ４０、又は小レンジ精度レシーバが考えられる。
【０１１０】
プロセッサ２１０は少なくとも４ビットのプロセッサとする。プロセッサ２１０は少なくとも１キロバイトのＲＡＭを有するものとする。例えば、モトローラ社製ＭＭＣ２１１４の内蔵ＵＡＲＴを２個有する３２ビットＲＩＳＣプロセッサが考えられる。しかし、同様の、又はより多くの進化したプロセッサも考えられる。メモリモジュール２８０は、少なくとも２個の付加的メモリチップを有し、各付加的メモリチップは少なくとも１２８Ｋとする。
【０１１１】
一実施形態において、セルラーレシーバ又はセルラーモデム２２０は主要通信手段とする。セルラーモデム２２０は、少なくとも１つのオンボードプロセッサの内蔵シリアルポートとのインタフェースをとる。セルラーモデム２２０は、ＧＳＭ、ＣＤＭＡ又は同様のモデムとすることができる。衛星モデム又はトランシーバ２３０はトランスポンダ又は加入者デバイス１０５の外部に設け、シリアルポートによって接続する。一実施形態において、衛星モデム２３０はガラス繊維又は他の任意な非金属材料の下に配置し、最大受信範囲が得られるようにする。衛星モデム２３０は、主にセルラー方式の受信可能範囲があまり若しくは全くないとき、又はユーザーが衛星モデム２３０の使用を指定するときに使用する。衛星モデム２３０の効率的使用は、ユーザーに対する追跡システムのコストを低減するよう機能する。一実施形態において、スカイウェイブ（Sky Wave）ＤＭＲ-２００サテライトモデムのような衛星モデムが考えられる。同様の他に考えられる衛星モデムは、限定しないが、内蔵多指向性アンテナを組込む、ワールドワイドな受信可能範囲を得る、及びトランスポンダ又は加入者デバイスのプロセッサ２１０と効率よくインタフェースをとる等の特徴を有するものとする。
【０１１２】
Bluetoothトランスミッタ／レシーバ２２５は少なくとも２０メートルの送受信範囲を有する。例えば、ナショナル・セミコンダクター社製のSimply Blue LMX9820クラス２のBluetoothモジュールが考えられる。しかし、同様の又は多くの進化したBluetoothトランシーバ、トランスミッタ、及び／又はレシーバ、並びに無線接続が可能であり、見通しラインを必要としない、他の任意なトランシーバ、トランスミッタ、又はレシーバも考えられる。好適には、Bluetoothトランスミッタ／レシーバ２２５は、例えば、複数の無線周辺機器を統合及び支援する、短波無線として作用してデータをダウンロードする若しくはローカルな移動無線「ホットスポット」として供する等の異なる能力を利用するようインストールする。
【０１１３】
一実施形態において、トランスポンダ又は加入者デバイスの電源は、１２〜２４ボルトの範囲内での動作が推奨される結合した主電源とする。一実施形態においては、通常動作中低電力消費（６５ｍＡ以下）が考えられる。さらに、トランスポンダ又は加入者デバイス１０５は、随意的なバックアップバッテリを充電する回路を有するものとする。一次電源が最小許容レベル以下である場合、トランスポンダ又は加入者デバイス１０５は自動的にバックアップ電源に切替わり、並びに一次電源が臨界低レベルであることを認識するメッセージを送信する。
【０１１４】
トランスポンダ又は加入者デバイス１０５、例えば携帯電話又はＰＤＡは、多くの特徴を有する小さく手頃なユニットとする。トランスポンダ又は加入者デバイスの外部から見た図を図３に示す。一実施形態において、トランスポンダ又は加入者デバイス１０５のハウジング３３５は、プラスチック、金属、又は外部からのイベント、例えば、物理的衝撃、塵埃、水、過剰温度、又はトランスポンダ又は加入者デバイスの完全性に影響を与える任意な他のイベントから内部コンポーネントを保護する任意な他の材料で製造する。１つ又はそれ以上の実施形態において、トランスポンダ又は加入者デバイス１０５は、外部通信ポート、多重ピンコネクタ、少なくとも４個の制御出力、モデムアンテナ用コネクタ、数個のインジケータ及び／又はＧＰＳアンテナを有する。他の実施形態において、Bluetoothアンテナをトランスポンダ又は加入者デバイス１０５に組込む。
【０１１５】
数個の赤外線モーションドアセンサとインタフェースをとる乗客カウンタを設け、例えば、ビル、又は部屋の少なくとも１つのドアに出入りする人数を計数することができる。シリアルポートを使用して、トランスポンダ又は加入者デバイス１０５内のアプリケーションを検査及び環境設定することもできる。一実施形態において、シリアルポートはプログラミングポートとして機能し、初回にユニットをプログラミングするとき又はユニットのコアプログラムを再プログラミングするときに使用する。
【０１１６】
トランスポンダ又は加入者デバイス１０５に関連するインジケータは、接続、信号、電力レベル、状態、及び他の任意な同様の通信のうちいずれかのタイプ用とすることができる。一実施形態において、インジケータは発光ダイオード（ＬＥＤ）とし、トランスポンダ又は加入者デバイス１０５が電源に接続されたとき赤色となるようにする。他のインジケータは、ＧＰＳレシーバが接続を確立しようとしているとき速いペースで緑色を明滅し、また接続が確立したときゆっくりと緑色を明滅するＬＥＤとすることができる。他のインジケータは、メッセージを受信する毎に緑色を明滅し、メッセージを送信する毎に赤色を明滅するＬＥＤ光とすることができる。他のインジケータは、セルラーモデム２２０がローミングしているとき赤色となり、在宅の時は緑色となるＬＥＤとすることができる。
【０１１７】
トランスポンダ又は加入者デバイスのファームウェア環境設定
トランスポンダ又は加入者デバイス１０５は、以下に説明するような多くの特徴、機能、及び能力を有する。トランスポンダ又は加入者デバイス１０５は、少なくとも４ビットのプロセッサ２１０が制御するインテリジェント（自動制御可能）なデバイスである。図２は、プロセッサ２１０がＧＰＳレシーバ２１５、セルラーモデム２２０、Bluetoothトランスミッタ／レシーバ２２５、メモリモジュール２８０、及び衛星モデム２３０とインタフェースをとる能力を有する。
【０１１８】
トランスポンダ又は加入者デバイス１０５は、多くの論理イベントを報告、観察、及び分析するよう構成することができる。トランスポンダ又は加入者デバイスは、種々のコマンドを発し、また応答するようにも設定可能であり、設定可能履歴記録コンポーネントを有する。本発明の他の利点は、トランスポンダ又は加入者デバイス１０５に対するすべての環境設定は、局所的に又は無線で行うことができる点である。したがって、ユーザーは、トランスポンダ又は加入者デバイスの全体的オペレーティング・システムを含む任意の特徴を無線で環境設定することができる。この無線環境設定は、セルラーモデム２２０、Bluetoothトランスミッタ／レシーバ２２５、又は任意な他の無線手段によって行うことができる。
【０１１９】
さらに、トランスポンダ又は加入者デバイス１０５はシリアルポートに接続することにより局所的に環境設定することができる。本発明の他の特徴は、無線による又は局所的な環境設定中、トランスポンダ又は加入者デバイス１０５を通常動作を継続できる点である。このことは、トランスポンダ又は加入者デバイス１０５が操作性が失われることがほとんど又は全くなく設定できることを意味する。
【０１２０】
無線環境設定コマンドは、物理的及び論理的なイベントを処理するのに使用するパラメータをオンザフライで変化させる。無線によるオペレーティング・システムのアップデートは、２つの実行可能コード空間及び新しいコードをローディングするための一時的コード空間を使用して行う。一時的コード空間内への新しいコードのアップロードが完了した後、トランスポンダ又は加入者デバイスはリブートし、新しいコードを二次的実行可能コード空間内にコピーし、また最新アップデート版で実行を再開する。
【０１２１】
トランスポンダ又は加入者デバイス１０５から入来するメッセージは、さらに、eメールアドレス、携帯電話、又は任意な他の通信デバイスに転送することができる。この機能性を得るため、履歴レコーダ６４１は、ジオコード付け場所を遠隔通知キュー６８０に配置することによってジオコード付け場所を遠隔通知ルータ６８１に送信する。ジオコード付け場所及びイベント情報を受信する遠隔通知ルータ６８１は、フリートデータベース６７０に問合せして、トランスポンダ又は加入者デバイス１０５に関連する設定情報が、図１に示すような通信デバイス１８０への通知を必要とするか否かを決定する。通知が必要である場合、遠隔通知ルータ６８１は、適正通信デバイス１８０のための連絡先を検索する。つぎに、遠隔通知ルータ６８１は、通信デバイス１８０に送信すべきメッセージを初期化及びコード化する。メッセージはＳＭＴＰキュー６６４に配置し、ＳＭＴＰゲートウェイ１５４経由で送信される。代案として、メッセージはＳＭＳキュー６６２に配置され、ＳＭＰＰゲートウェイ１５２経由で送信される。
【０１２２】
リアルタイムデータベース６３０も入来メッセージに関連する新しいイベント情報でアップデートする。したがって、リアルタイムデータベース６３０は所定トランスポンダ又は加入者デバイス１０５について報告される最新情報を含む。リアルタイムデータベース６３０はウェブサーバー１５８に接続する。ウェブサーバー１５８は直接インターネット１６０に接続し、ウェブ追跡アプリケーション１７１のユーザーが場所リクエスト、コマンドリクエスト６３２、及び報告リクエストを作成できるようにする。ウェブサーバー１５８が場所リクエストをウェブ追跡アプリケーション１７１から受信するとき、ウェブサーバー１５８は履歴データベース６４２に問合せをする。履歴データベース６４２は経時的順番ですべてのイベントを含む。ウェブサーバー１５８は、ウェブ追跡アプリケーション１７１のクエリーに関連するすべてのトランザクションを検索し、またデータをウェブ追跡アプリケーション１７１に転送してユーザーに対してウェブブラウザでの表示を行う。
【０１２３】
ウェブサーバー１５８は、ウェブ追跡アプリケーション１７１からの場所リクエストを受信するとき、ウェブサーバー１５８は、対応するトランスポンダ又は加入者デバイス１０５の情報に関してリアルタイムデータベース６３０に問合せをする。リアルタイムデータベース６３０は、現役中のトランスポンダ又は加入者デバイス１０５からの最新入来メッセージに関連したトランスポンダ又は加入者デバイス情報を提供する。ウェブ追跡アプリケーション１７１は、さらに、トランスポンダ又は加入者デバイス１０５の位置に関するクエリーのようなコマンドリクエスト６３２を送信する。コマンドリクエスト６３２はコマンドレシーバ６９０に送信され、このコマンドレシーバ６９０は、トランスポンダ又は加入者デバイス１０５の情報を有効化することによって位置に関するリクエストコマンドを処理する。メッセージは、コーデック１５５によってコード化し、適切な送信キュー６６１〜６６４に配置し、また対応のゲートウェイシステム１５１〜１５４経由でトランスポンダ又は加入者デバイス１０５に送信する。バックエンド制御システム１５０は、つぎに応答（レスポンス）を処理し、それに応じてリアルタイムデータベース６３０をアップデートする。リアルタイムデータベース６３０がアップデートされた後、ウェブサーバー１５８はウェブ追跡アプリケーション１７１の内容をリフレッシュし、これによりトランスポンダ又は加入者デバイス１０５の新しい位置を示す。
【０１２４】
本発明システムによれば、個人、自動車又は他の人々が他のエリア及び空間から隔絶及び分離できるエリア及び空間での通信を行うことができる。このようにして、１つの位置でセキュリティ状況がある場合、個人、自動車又は他の移動体は、危険エリアから移動した又は隔絶した場所内に留まるメッセージ又は命令で目標とすることができる。
【０１２５】
上述の説明は多くの特別な実施形態を含むが、これらは本発明の範囲を限定するものではなく、単なる例示であると理解されたい。
【０１２６】
トランスポンダ又は加入者デバイスはこれら種々の物品に実装、取付け、製造、又は含めることができる。トランスポンダ又は加入者デバイスは、ナノ及び／又はミクロのスケールのトランスポンダ又は加入者デバイスを含む多くの異なったサイズにすることが考えられる。追跡システムの文脈内で、トランスポンダ又は加入者デバイスは、トランスポンダ又は加入者デバイスに取付ける物品又は自動車に関する種々の情報を、収集、処理、及び通信するよう作用する。
【０１２７】
さらに、本発明は、本明細書に記載した異なる特別な詳細及び／又は実施形態からの要素のいかなる組合せ又は副結合をも考えられる。当業者であれば、これら特徴及び発明の範囲は、特許請求の範囲及び任意の等価物内に含まれることを理解できるであろう。
【符号の説明】
【０１２８】
１０５    トランスポンダ又は加入者デバイス
１１５    自動車
１１５ａ  個人
１２０    セルラー基地ステーション
１２５    ＳＭＳレシーバ
１３０    衛星レシーバ及びトランスミッタ
１３５    サービスプロバイダ
１４０    サービスプロバイダ
１４５    衛星地上ステーション
１５０    バックエンド制御システム
１５１    ゲートウェイ
１５２    ゲートウェイ
１５３    ゲートウェイ
１５４    ゲートウェイ
１５５    コーデック
１５６    経路指定サービス装置
１５７    データベース
１５８    ウェブサーバー
１５９    非同期経路指定システム
１６０    インターネット
１７１    ウェブ追跡アプリケーション
１７６    クライアントコンソール
１８０    通信デバイス
２１０    ＣＰＵ
２１５    ＧＰＳレシーバ
２２０    セルラーレシーバ又はセルラーモデム
２２５    Bluetoothトランスミッタ／レシーバ
２３０    衛星モデム又はトランシーバ
２４０    内部回路板
【図１】
2014176092.tif 000006
【図２】
2014176092.tif 000007
【図４】
2014176092.tif 000008
【図５】
2014176092.tif 000009
【図７】
2014176092.tif 000010
【図８】
2014176092.tif 000011
【図１０】
2014176092.tif 000012
【図１１】
2014176092.tif 000013
【図１３】
2014176092.tif 000014
【図１４】
2014176092.tif 000015
【図１５】
2014176092.tif 000016
【図１６】
2014176092.tif 000017
【図１７】
2014176092.tif 000018
【図１８】
2014176092.tif 000019
【図１９】
2014176092.tif 000020
【図２０】
2014176092.tif 000021
【図２１】
2014176092.tif 000022
【図２２】
2014176092.tif 000023
【図２３】
2014176092.tif 000024
【図３】
2014176092.tif 000025
【図６】
2014176092.tif 000026
【図９】
2014176092.tif 000027
【図１２】
2014176092.tif 000028
【外国語明細書】
2014176092000001.pdf